(57)【要約】  本発明の課題は、製造コストや管理コスト等の必要コストの低減を図ると共に、装用者の取扱性の向上を図ることの出来る、新規な構造のコンタクトレンズを提供することにある。  かかる課題を解決するために、本発明は、光学部１４の幾何中心２０に対して第二の度数領域２４の面積中心３０を対称経線２２上で偏心位置せしめると共に、右眼に装用せしめた状態で該対称経線２２と直交する直交経線３４が該装用眼の上下方向線５０に対して周方向で第一の傾斜角度だけ傾斜せしめられた第一の安定状態と、右眼への装用状態と上下反転させて左眼に装用せしめた状態で該直交経線３４が該装用眼の上下方向線５０に対して該第一の傾斜角度と周方向で反対側に第二の傾斜角度だけ傾斜せしめられた第二の安定状態とを周方向位置決め手段４０，４２、４４，４６によって選択的に設定可能にすると共に、レンズの向きを識別出来る視認可能な指標マーク４８を設けた。
2009093286.tif 000002
【特許請求の範囲】
【請求項１】
レンズ中央部分に設けられた光学部に第一の度数領域と該第一の度数領域よりもプラス側に大きなレンズ度数を有する第二の度数領域を備えたコンタクトレンズにおいて、
前記光学部の一つの径方向線である対称経線に関して線対称のレンズ形状とされていると共に、前記第一の度数領域および前記第二の度数領域の少なくとも一方の面積中心が該光学部の幾何中心に対して該対称経線上で偏心位置せしめられている一方、該対称経線に直交する直交経線が装用眼の上下方向線に対して所定角度傾斜したレンズ回転位置で装用状態におけるレンズ周方向の安定位置を与える周方向位置決め手段が設けられており、右眼に装用せしめた状態で該直交経線が該装用眼の上下方向線に対して周方向で第一の傾斜角度だけ傾斜せしめられた第一の安定状態と、右眼への装用状態と上下反転させて左眼に装用せしめた状態で該直交経線が該装用眼の上下方向線に対して該第一の傾斜角度と周方向で反対側に第二の傾斜角度だけ傾斜せしめられた第二の安定状態とが、該周方向位置決め手段によって設定可能とされていると共に、レンズ上下方向の向きに関して正位置と反転位置を識別出来る識別可能な指標マークが付されていることを特徴とする傾斜装用型コンタクトレンズ。
【請求項２】
前記光学部の外周側に周辺部が設けられていると共に、該周辺部において、前記対称経線方向で該光学部を挟んだ両側に位置する部分に比して前記直交経線方向で該光学部を挟んだ両側に位置する部分が何れも薄肉とされたダブルスラブオフが付されており、該ダブルスラブオフの形状が前記対称経線に関して線対称とされると共に前記直交経線に関して非線対称とされることによって前記周方向位置決め手段が構成されている請求項１に記載の傾斜装用型コンタクトレンズ。
【請求項３】
前記ダブルスラブオフによって薄肉とされた一対の薄肉部の周方向両端部間に設けられて、前記対称経線方向で前記光学部を挟んだ両側に位置せしめられた一対の厚肉部の周方向長さが、相互に異ならされている請求項２に記載の傾斜装用型コンタクトレンズ。
【請求項４】
前記光学部の外周側に周辺部が設けられていると共に、該周辺部において、前記対称経線方向で該光学部を挟んだ一方の側に位置する部分に比して他方の側に位置する部分が厚肉とされていることによって前記周方向位置決め手段が構成されている請求項１乃至３の何れか一項に記載の傾斜装用型コンタクトレンズ。
【請求項５】
前記光学部の外周側に周辺部が設けられていると共に、該周辺部において着色と刻印の少なくとも一方による前記指標マークが付されている請求項１乃至４の何れか一項に記載の傾斜装用型コンタクトレンズ。
【請求項６】
前記光学部の幾何中心がレンズ幾何中心とされている請求項１乃至５の何れか一項に記載の傾斜装用型コンタクトレンズ。
【請求項７】
前記第一の度数領域および前記第二の度数領域の少なくとも一方の面積中心における前記光学部の幾何中心に対する偏心距離が、前記対称経線の方向成分において０．４ｍｍ以上とされている請求項１乃至６の何れか一項に記載の傾斜装用型コンタクトレンズ。
【請求項８】
角膜に重ね合わされるレンズ後面において、前記光学部の外周側に周辺部が設けられていると共に、該光学部の外径寸法がレンズ外径寸法の７５％以下とされている請求項１乃至７の何れか一項に記載の傾斜装用型コンタクトレンズ。
【請求項９】
ソフトコンタクトレンズであって、前記レンズ後面の前記光学部の外径寸法が１０ｍｍ以下とされている請求項８に記載の傾斜装用型コンタクトレンズ。
【請求項１０】
前記光学部における前記第二の度数領域に対して付加レンズ度数を与える付加度数面が、装用時に角膜に重ね合わされるレンズ後面に設定されている請求項１乃至９の何れか一項に記載の傾斜装用型コンタクトレンズ。
【請求項１１】
ソフトコンタクトレンズであって、装用時に角膜に重ね合わされるレンズ後面において前記ダブルスラブオフを与える薄肉面が設定されている請求項２乃至１０の何れか一項に記載の傾斜装用型コンタクトレンズ。
【請求項１２】
前記第一の安定状態又は前記第二の安定状態で装用された正装用と、正装用において装用眼の左右一方の側に位置せしめられた前記第一の度数領域又は前記第二の度数領域が装用眼の左右他方の側に位置せしめられる逆装用とが、前記周方向位置決め手段によって選択的に設定可能とされている請求項１乃至１１の何れか一項に記載の傾斜装用型コンタクトレンズ。
【発明の詳細な説明】
【技術分野】
【０００１】
本発明は、コンタクトレンズに係り、特に複数の度数領域を有する多焦点コンタクトレンズに関するものである。
【背景技術】
【０００２】
良く知られているように、例えば老視などの矯正には、第一の度数領域としての遠用領域と、遠用領域よりも高い加入度数を有する第二の度数領域としての近用領域の複数の度数領域を有するバイフォーカルレンズ等の多焦点コンタクトレンズが処方される。【０００３】
このような多焦点コンタクトレンズとして、例えば特許文献１（特開昭６１−２７２７１７号公報）には、遠用領域と近用領域がレンズ幾何中心に対して同心円状に形成された多焦点コンタクトレンズが開示されている。ところが、瞳孔中心は角膜中心から僅かに鼻側に偏倚していることが知られている。それ故、レンズ幾何中心が瞳孔中心と一致することを想定してレンズ幾何中心から同心円状に遠用領域と近用領域を形成した特許文献１に記載の如き形状では、実際の装用時に両領域と瞳孔との位置関係が所期の位置に保たれなかったのであり、遠用視力と近用視力の何れに対しても、有効な矯正効果を得ることが出来なかった。【０００４】
そこで、本願出願人は、特許文献２（特開平６−２８９３２９号公報）において、近用領域をレンズ幾何中心から鼻側に偏倚させた多焦点コンタクトレンズを提案した。このようにすれば、近くを見る場合は視軸が鼻側に寄ることと巧く対応して、視軸とレンズ光軸を一致させることによって、近用視力と遠用視力の両方を効果的に矯正することが出来た。【０００５】
しかし、特許文献２に記載の如き多焦点コンタクトレンズにおいては、近用領域が装用者の左右方向のみならず上下方向にも偏倚している場合があることから、右眼用と左眼用の各別にレンズを提供する必要があって、左右の規格が追加的に必要であった。それ故、見込み生産によった場合には、多くの在庫を用意する必要があって、製造コストや管理コストの増加を招くおそれがあった。また、左右が同じ規格の装用者においても、左右のレンズを区別して取り扱う必要があった。【０００６】
【特許文献１】特開昭６１−２７２７１７号公報
【特許文献２】特開平６−２８９３２９号公報
【発明の開示】
【発明が解決しようとする課題】
【０００７】
ここにおいて、本発明は上述の如き事情を背景として為されたものであって、その解決課題とするところは、製造コストや管理コスト等の必要コストの低減を図ると共に、装用者の取扱性の向上を図ることの出来る、新規な構造のコンタクトレンズを提供することにある。
【課題を解決するための手段】
【０００８】
以下、前述の如き課題を解決するために為された本発明の態様を記載する。なお、以下に記載の各態様において採用される構成要素は、可能な限り任意の組み合わせで採用可能である。【０００９】
すなわち、本発明の第一の態様は、レンズ中央部分に設けられた光学部に第一の度数領域と該第一の度数領域よりもプラス側に大きなレンズ度数を有する第二の度数領域を備えたコンタクトレンズにおいて、前記光学部の一つの径方向線である対称経線に関して線対称のレンズ形状とされていると共に、前記第一の度数領域および前記第二の度数領域の少なくとも一方の面積中心が該光学部の幾何中心に対して該対称経線上で偏心位置せしめられている一方、該対称経線に直交する直交経線が装用眼の上下方向線に対して所定角度傾斜したレンズ回転位置で装用状態におけるレンズ周方向の安定位置を与える周方向位置決め手段が設けられており、右眼に装用せしめた状態で該直交経線が該装用眼の上下方向線に対して周方向で第一の傾斜角度だけ傾斜せしめられた第一の安定状態と、右眼への装用状態と上下反転させて左眼に装用せしめた状態で該直交経線が該装用眼の上下方向線に対して該第一の傾斜角度と周方向で反対側に第二の傾斜角度だけ傾斜せしめられた第二の安定状態とが、該周方向位置決め手段によって設定可能とされていると共に、レンズ上下方向の向きに関して正位置と反転位置を識別出来る識別可能な指標マークが付されていることを特徴とする傾斜装用型コンタクトレンズにある。【００１０】
本態様に従う構造とされた傾斜装用型コンタクトレンズにおいては、装用者の鼻を挟んで略対称に第一の度数領域又は第二の度数領域を瞳孔中心に対して偏心位置せしめることが出来る。例えば、右眼に装用した第一の安定状態で第二の度数領域を装用者の鼻側に位置せしめた場合には、左眼に装用した第二の安定状態においても、第二の度数領域が装用者の鼻側に位置せしめられる。なお、本態様においてプラス側に大きなレンズ度数とは、ディオプタ値がプラス側に大きいことを言い、具体的には、例えば、第一の度数領域を−５Ｄとした場合、＋１Ｄや０Ｄ、−３Ｄは何れもプラス側に大きいこととなる。【００１１】
従って、例えば本発明における傾斜装用型コンタクトレンズを老視矯正用のバイフォーカルレンズとして構成して、第一の度数領域を遠用光学部、第二の度数領域を近用光学部に設定した場合には、第一の傾斜角度および第二の傾斜角度を適当に調節することによって、左右眼何れに装用した場合でも近用光学部を装用者の鼻下側に位置せしめることが出来る。このように、本発明における傾斜装用型コンタクトレンズは、左右何れの眼に装用した場合でもそれに応じた好適な安定状態で安定位置せしめることが可能とされている。その結果、単一のレンズを左眼用と右眼用に共通して用いることが可能とされており、左右を区別してレンズを用意することが不要とされる。これにより、例えば見込み生産でレンズを提供する場合にも、在庫量を従来の半分にすることが出来て、製造や管理に要するコストを軽減することが出来る。【００１２】
さらに、本発明に従う構造とされた傾斜装用型コンタクトレンズは、必ずしも左右セットで提供される必要はないが、左右のセットにて提供されることによって、より優れた効果を発揮することが出来る。即ち、第一の安定状態で右眼に対する矯正効果が発揮されると共に、第二の安定状態で左眼に対する矯正効果が発揮される同一規格の傾斜装用型コンタクトレンズの一対をセットとして装用者に提供することによって、装用者は、これら一対のレンズの何れを装用した場合でも、右眼に装用した場合には右眼に好適な矯正効果が発揮されると共に、左眼に装用した場合には左眼に好適な矯正効果が発揮される。これにより、同一規格の一対のレンズによって左右両眼の矯正が可能となり、左右が同じ規格の装用者は、左右の別を意識することなくレンズを取り扱うことが出来て、取扱い性も向上せしめられる。【００１３】
なお、本発明に従う構造とされた傾斜装用型コンタクトレンズにおいては、第一の安定状態と第二の安定状態の２つの安定状態が発現せしめられることから、装用者は、右眼に装用した場合には第一の安定状態で、左眼に装用した場合には第二の安定状態で安定位置せしめられるように、レンズの周方向位置を意識して装用する必要がある。そこにおいて、本発明における傾斜装用型コンタクトレンズによれば、指標マークが付されていることから、レンズの周方向位置を容易に把握することが可能とされており、所望する安定状態で容易に装用することが可能とされている。【００１４】
本発明の第二の態様は、前記第一の態様に係る傾斜装用型コンタクトレンズにおいて、前記光学部の外周側に周辺部が設けられていると共に、該周辺部において、前記対称経線方向で該光学部を挟んだ両側に位置する部分に比して前記直交経線方向で該光学部を挟んだ両側に位置する部分が何れも薄肉とされたダブルスラブオフが付されており、該ダブルスラブオフの形状が前記対称経線に関して線対称とされると共に前記直交経線に関して非線対称とされることによって前記周方向位置決め手段が構成されていることを、特徴とする。【００１５】
本態様に従う構造とされた傾斜装用型コンタクトレンズにおいては、スラブオフを直交経線に関して非線対称形状とすることによって、装用眼の上下方向線に対して直交経線が傾斜した安定状態を安定して発現せしめることが出来る。それと共に、直交経線方向で光学部を挟んだ両側が薄肉とされたダブルスラブオフとされていることから、上下を反転させた２つの安定状態で安定位置せしめることが可能とされている。【００１６】
本発明の第三の態様は、前記第二の態様に係る傾斜装用型コンタクトレンズにおいて、前記ダブルスラブオフによって薄肉とされた一対の薄肉部の周方向両端部間に設けられて、前記対称経線方向で前記光学部を挟んだ両側に位置せしめられた一対の厚肉部の周方向長さが、相互に異ならされていることを、特徴とする。【００１７】
本態様に従う構造とされた傾斜装用型コンタクトレンズにおいては、光学部の両側で対称経線方向の重量バランスおよび眼瞼との接触によって及ぼされる作用力が異ならされる。これにより、直交経線が上下方向線に対して傾斜せしめられた第一および第二の安定状態を有利に発現せしめることが出来る。【００１８】
本発明の第四の態様は、前記第一乃至第三の態様に係る傾斜装用型コンタクトレンズにおいて、前記光学部の外周側に周辺部が設けられていると共に、該周辺部において、前記対称経線方向で該光学部を挟んだ一方の側に位置する部分に比して他方の側に位置する部分が厚肉とされていることによって前記周方向位置決め手段が構成されていることを、特徴とする。【００１９】
本態様に従う構造とされた傾斜装用型コンタクトレンズにおいては、対称経線方向で重量バランスが異ならされることによってバラスト効果が生ぜしめられる。これにより、直交経線が上下方向線に対して傾斜せしめられた第一および第二の安定状態を有利に発現せしめることが出来る。【００２０】
本発明の第五の態様は、前記第一乃至第四の何れか一つの態様に係る傾斜装用型コンタクトレンズにおいて、前記光学部の外周側に周辺部が設けられていると共に、該周辺部において着色と刻印の少なくとも一方による前記指標マークが付されていることを、特徴とする。本態様に従う構造とされた傾斜装用型コンタクトレンズにおいては、光学部から外れた周辺部に指標マークが付されていることから、指標マークが光学特性に影響を与えることが回避されており、第一および第二の安定状態の何れにおいても、良好な光学特性を得ることが出来る。【００２１】
本発明の第六の態様は、前記第一乃至第五の何れか一つの態様に係る傾斜装用型コンタクトレンズにおいて、前記光学部の幾何中心がレンズ幾何中心とされていることを、特徴とする。本態様によれば、第一および第二の何れの安定状態においても、光学部が瞳孔から外れるようなことが回避されて、安定した光学特性を得ることが出来る。【００２２】
本発明の第七の態様は、前記第一乃至第六の何れか一つの態様に係る傾斜装用型コンタクトレンズにおいて、前記第一の度数領域および前記第二の度数領域の少なくとも一方の面積中心における前記光学部の幾何中心に対する偏心距離が、前記対称経線の方向成分において０．４ｍｍ以上とされていることを、特徴とする。【００２３】
本態様に従う構造とされた傾斜装用型コンタクトレンズにおいては、第一又は第二の度数領域の光学部の幾何中心に対する相対位置を第一の安定状態と第二の安定状態で明確に異ならせることが出来る。即ち、かかる偏心距離が０．４ｍｍよりも小さいと、第一の安定状態と第二の安定状態との間で第一又は第二の度数領域の光学部の幾何中心に対する相対位置の変化が小さくなって、二つの安定状態のそれぞれに応じた光学特性を発揮することが困難となる。【００２４】
本発明の第八の態様は、前記第一乃至第七の何れか一つの態様に係る傾斜装用型コンタクトレンズにおいて、角膜に重ね合わされるレンズ後面において、前記光学部の外周側に周辺部が設けられていると共に、該光学部の外径寸法がレンズ外径寸法の７５％以下とされていることを、特徴とする。【００２５】
本態様に従う構造とされた傾斜装用型コンタクトレンズにおいては、第一の安定状態と第二の安定状態を何れも安定して発現することが出来る。即ち、光学部の外径寸法がレンズ外径寸法の７５％よりも大きいと、装用時におけるレンズ幾何中心が角膜表面の定位置で安定し易くなって、第一の安定状態と第二の安定状態の２つの安定状態を安定して発現せしめることが困難となるおそれがある。【００２６】
具体的には、例えば、本発明の第九の態様として、前記第八の態様に係る傾斜装用型コンタクトレンズにおいて、ソフトコンタクトレンズであって、前記レンズ後面の前記光学部の外径寸法が１０ｍｍ以下とされている態様が、好適に採用される。【００２７】
本発明の第十の態様は、前記第一乃至第九の何れか一つの態様に係る傾斜装用型コンタクトレンズにおいて、前記光学部における前記第二の度数領域に対して付加レンズ度数を与える付加度数面が、装用時に角膜に重ね合わされるレンズ後面に設定されていることを、特徴とする。【００２８】
本態様に従う構造とされた傾斜装用型コンタクトレンズにおいては、第一の度数領域と第二の度数領域との曲率の違いによって、角膜表面とレンズ後面との間に涙液を保持することが出来る。そして、保持された涙液を涙液レンズとして用いることによって、第一の度数領域と第二の度数領域の間での急激な光学特性の変化を軽減することが出来る。また、第一の度数領域と第二の度数領域と異なる複数の曲率を有するレンズ後面形状を成形型で形成することによって、優れた製造効率を得ることも出来る。【００２９】
本発明の第十一の態様は、前記第二乃至第十の何れか一つの態様に係る傾斜装用型コンタクトレンズにおいて、ソフトコンタクトレンズであって、装用時に角膜に重ね合わされるレンズ後面において前記ダブルスラブオフを与える薄肉面が設定されていることを、特徴とする。【００３０】
本態様に従う構造とされた傾斜装用型コンタクトレンズによれば、眼球への装用状態においてレンズが変形して角膜表面に沿うことによって、レンズ後面に形成されたダブルスラブオフがレンズ前面に現れる。これにより、眼瞼との相互作用によってレンズを第一の安定状態および第二の安定状態で位置決めすることが出来る。なお、本態様は、前記第十の態様と組み合わせて好適に用いられる。即ち、レンズ後面に付加度数面と薄肉面を形成すれば、かかる複雑なレンズ後面形状を成形型で形成することが可能となり、優れた製造効率を得ることが出来る。【００３１】
本発明の第十二の態様は、前記第一乃至第十一の何れか一つの態様に係る傾斜装用型コンタクトレンズにおいて、前記第一の安定状態又は前記第二の安定状態で装用された正装用と、正装用において装用眼の左右一方の側に位置せしめられた前記第一の度数領域又は前記第二の度数領域が装用眼の左右他方の側に位置せしめられる逆装用とが、前記周方向位置決め手段によって選択的に設定可能とされていることを、特徴とする。【００３２】
本態様に従う構造とされた傾斜装用型コンタクトレンズにおいては、例えば第一の度数領域を耳側に位置せしめた正装用と、第一の度数領域を鼻側に位置せしめた逆装用を選択して装用することが出来る。【００３３】
従って、例えば本態様における傾斜装用型コンタクトレンズを老視矯正用のバイフォーカルレンズとして構成して、第一の度数領域を遠用光学部、第二の度数領域を近用光学部に設定した場合には、同一の装用眼において、近用光学部が装用眼の鼻側に位置せしめられた正装用と、近用光学部が装用眼の耳側に位置せしめられた逆装用とを選択して装用することが出来る。これにより、正装用した場合には、近用光学部が装用者の鼻側に位置せしめられて瞳孔中心にかかり、遠用視力と近用視力の矯正が可能となる。一方、逆装用した場合には、近用光学部が瞳孔中心から外れた耳側に位置せしめられることによって、フレアの発生等も軽減された良好な遠用視力を得ることが出来る。即ち、本態様によれば、装用状態を変更することによって、（１）瞳孔中心におけるレンズ光学面の度数の変化（好ましくは、度数変化は０．２５Ｄ以上）、（２）瞳孔におけるレンズ光学部の度数の配置の変化、（３）瞳孔における近用光学部と遠用光学部の投影面積比の変化（好ましくは、投影面積比の変化は１０％以上）、の少なくとも１つが生ぜしめられるようになっている。これにより、正装用することによってバイフォーカル効果が得られると共に、逆装用することによって略単焦点効果を得ることが可能となり、それら異なる光学特性の何れをも有効に発揮せしめることが出来る。【００３４】
さらに、本態様に従う構造とされた傾斜装用型コンタクトレンズは、必ずしも左右セットで提供される必要はないが、左右のセットにて提供されることによって、より優れた効果を発揮することが出来る。即ち、装用者が使用環境に応じて左右それぞれのレンズの正装用と逆装用を選択的に組み合わせて使用することが可能となり、例えば、前記バイフォーカルレンズにおいて、左右両レンズを正装用すれば、両レンズによるバイフォーカル効果が得られる一方、左右両レンズを逆装用すれば、両レンズによる略単焦点効果を得ることが出来る。更には、優位眼に正装用、非優位眼に逆装用したり、優位眼に逆装用、非優位眼に正装用するなど、使用環境に応じて遠用視力と近用視力の矯正バランスを変化させることが出来る。これにより、モディファイトモノビジョン処方にも有効に用いることが出来る。【００３５】
そして、これら左右の正逆装用の組み合わせにより、本態様における傾斜装用型コンタクトレンズは、例えばバイフォーカルレンズを装用者に慣らす時間と手間を軽減することが出来る。即ち、例えば第一の度数領域を遠用光学部、第二の度数領域を近用光学部に設定して、両眼において近用光学部が耳側に位置せしめられる逆装用で遠用度数を決定すれば、遠用視力矯正用のコンタクトレンズとしての処方が完了する。そして、近用度数については、決定した遠用度数を有し、近用光学部のレンズ度数が少しずつ異ならされた本態様に従う構造とされた傾斜装用型コンタクトレンズを多数用意すると共に近用光学部が鼻側に位置せしめられる正装用で装用して、近用度数を徐々に変化させて生活環境の中で数日から数ヶ月単位で十分に慣らすことによって、最適な近用度数を決定又は設定することが出来る。
【図面の簡単な説明】
【００３６】
【図１】本発明の第一の実施形態としてのコンタクトレンズを示す正面説明図。
【図２】同コンタクトレンズの直交経線方向断面の一部をモデル的に示す説明図。
【図３】同コンタクトレンズの装用状態の組み合わせ例を示す説明図。
【図４】同コンタクトレンズの装用状態の異なる組み合わせ例を示す説明図。
【図５】同コンタクトレンズの装用状態の更に異なる組み合わせ例を示す説明図。
【図６】本発明の第二の実施形態としてのコンタクトレンズを示す正面説明図。
【図７】同コンタクトレンズの装用状態の組み合わせ例を示す説明図。
【図８】同コンタクトレンズの装用状態の異なる組み合わせ例を示す説明図。
【図９】本発明の第三の実施形態としてのコンタクトレンズを示す正面説明図。
【図１０】本発明の第四の実施形態としてのコンタクトレンズを示す正面説明図。
【図１１】実施例の正装用状態および比較例の装用１での装用状態を示す正面説明図。
【図１２】実施例の逆装用状態および比較例の装用１と反転した装用状態を示す正面説明図。
【符号の説明】
【００３７】
１０  コンタクトレンズ
１２  レンズ幾何中心軸
１４  光学部
１６  周辺部
２０  光学部幾何中心軸
２２  対称経線
２４  近用光学部
２６  遠用光学部
３０  近用部面積中心
３２  遠用部面積中心
３４  直交経線
４０  スラブオフ領域
４２  スラブオフ領域
４４  厚肉部
４６  厚肉部
４８  指標マーク
【発明を実施するための最良の形態】
【００３８】
以下、本発明を更に具体的に明らかにするために、本発明の実施形態について、図面を参照しつつ、詳細に説明する。【００３９】
先ず、図１に、本発明の第一の実施形態としての傾斜装用型コンタクトレンズに係るコンタクトレンズ１０を示す。コンタクトレンズ１０は、図１に示す正面視においてレンズ幾何中心軸１２回りの回転体形状の外形を有する全体として略球殻形状とされており、眼球における角膜の表面に重ね合わせて装用されることによって使用されるようになっている。なお、図１および後述する図３乃至図１０中の「Ｎ」および「Ｄ」は、それぞれ、近用光学部と遠用光学部の位置を容易に把握するために便宜上表示したものである。【００４０】
本実施形態におけるコンタクトレンズ１０はソフトタイプのコンタクトレンズであり、その材料は何等限定されるものでなく、従来から公知のＰＨＥＭＡ（ポリヒドロキシエチルメタクリレート）やＰＶＰ（ポリビニルピロリドン）等の含水性材料の他、アクリルゴムやシリコン等の非含水性材料であっても良い。【００４１】
そして、コンタクトレンズ１０は、同時視型の老視矯正用レンズであって、図示されたレンズ正面視において、矯正光学系としての光学部１４が、レンズ幾何中心軸１２上に広がる大きな円形状で形成されている。また、レンズ外周部分には、光学部１４の周りを囲むようにして非光学領域としての周辺部１６が、所定幅の円環帯形状をもってレンズ幾何中心軸１２上に形成されている。更にまた、レンズ外周縁部には、コンタクトレンズ１０の前後両面を滑らかに繋ぐエッジ部１８が全周に亘って円環形状で形成されている。【００４２】
ここにおいて、光学部１４は、その光学部幾何中心軸２０がレンズ幾何中心軸１２と一致せしめられている。更に、レンズ後面における光学部１４の外径寸法は、レンズ外径寸法の７５％以下とされており、具体的には、人間の角膜径の標準値以下の１０ｍｍφ以下とされることが好ましい。蓋し、光学部１４の外径寸法がレンズ外径寸法の７５％よりも大きいと、レンズが定位置で安定し易くなって、後述する第一の安定状態と第二の安定状態の２つの安定状態を得難くなるからである。【００４３】
さらに、光学部１４は、３つの異なる焦点距離を備えた光学領域によって構成されている。先ず、その面積中心が光学部幾何中心軸２０から光学部１４の一つの径方向線である対称経線２２上で偏心位置せしめられた小円形状の領域が、近方視認用に一定の焦点距離（即ち、レンズ度数）が設定された近用光学部２４とされている。一方、近用光学部２４の周りの光学部１４における最外周部分の領域が、遠方視認用に一定の焦点距離（レンズ度数）が設定された遠用光学部２６とされている。更に、近用光学部２４と遠用光学部２６の間の円環帯状の領域が移行部２８とされている。【００４４】
近用光学部２４は、近方視認のために遠用光学部２６のレンズ度数に対して所定の付加度数が付与されたレンズ面とされている。これにより、近用光学部２４のレンズ度数（ディオプタ値）は遠用光学部２６のレンズ度数（ディオプタ値）に比してプラス側に大きくされており、本実施形態においては、遠用光学部２６が第一の度数領域とされる一方、近用光学部２４が第二の度数領域とされている。そして、移行部２８において、近用光学部２４のレンズ度数から遠用光学部２６のレンズ度数まで径方向で次第に変化する焦点距離（レンズ度数）が設定されている。なお、移行部２８としては、例えば、近用光学部２４と遠用光学部２６の間の所定の焦点距離（レンズ度数）が設定されていても良い。【００４５】
そこにおいて、近用光学部２４の面積中心となる近用部面積中心３０は、光学部１４の対称経線２２上で光学部幾何中心軸２０に対して偏心位置せしめられている。なお、近用部面積中心３０の光学部幾何中心軸２０に対する偏心距離は、対称経線２２の方向成分において０．４ｍｍ以上、より好ましくは０．６ｍｍ以上とされていることが好ましい。蓋し、近用部面積中心３０の偏心距離が０．４ｍｍよりも小さいと、後述する第一の安定状態と第二の安定状態との間で近用光学部２４の瞳孔に対する相対位置に差異が生じ難くなると共に、近用光学部２４を鼻下側に位置せしめ難くなるからである。一方、遠用光学部２６の面積中心となる遠用部面積中心３２は、対称経線２２上で光学部幾何中心２０を挟んで近用部面積中心３０と反対側に偏心位置せしめられている。これにより、光学部１４は対称経線２２に関して線対称形状とされていると共に、対称経線２２とレンズ幾何中心軸１２上で直交する直交経線３４に関して非線対称形状とされている。【００４６】
さらに、近用光学部２４の付加レンズ強度を与える付加度数面は、装用時に角膜と重ね合わされることとなるレンズ後面に形成されており、本実施形態における光学部１４は、略一定の曲率半径を有する凸状の略円弧形断面とされたレンズ前面３６（図２参照）と協働して近用光学部２４および遠用光学部２６のレンズ度数を与える凸状の略円弧状断面がレンズ後面３８（図２参照）に形成されている。これにより、本実施形態におけるコンタクトレンズ１０は、眼球への装用時には角膜表面とレンズ後面３８との間に涙液を保持することが出来て、かかる涙液によって形成される涙液レンズによって近用光学部２４と遠用光学部２６の間での急激なレンズ度数の変化が軽減されている。【００４７】
そして、周辺部１６において、直交経線３４方向で光学部１４を挟んだ両側には、対称経線２２方向で光学部１４を挟んだ両側に位置する部分に比して薄肉とされた薄肉部としての一対のスラブオフ領域４０、４２が形成されおり、両スラブオフ領域４０、４２によってダブルスラブオフ構造が形成されている。特に本実施形態においては、両スラブオフ領域４０，４２は、対称経線２２に関して対称形状とされる一方、直交経線３４に関して非対称形状とされており、正面視において周方向端縁部の一方が他方に比してより対称経線２２に接近せしめられた傾斜形状とされている。【００４８】
特に本実施形態においては、図２にスラブオフ領域４０を例にモデル的に示すように、両スラブオフ領域４０，４２を与える薄肉面４３はレンズ後面３８に設定されている。そして、装用状態においてコンタクトレンズ１０が角膜表面に沿うように変形せしめられることによって、レンズ後面３８に設定された薄肉形状がレンズ前面３６に現れるようにされている。【００４９】
また、スラブオフ領域４０，４２の周方向両端部間において対称経線２２方向で光学部１４を挟んだ両側には、スラブオフ領域４０，４２に比して厚肉とされた一対の厚肉部４４，４６が形成されている。これら厚肉部４４，４６の周方向長さ寸法は互いに異ならされている。換言すれば、一方の厚肉部４４における周方向両端縁部間のレンズ幾何中心軸１２回りの中心角：αと、他方の厚肉部４６における周方向両端縁部間のレンズ幾何中心軸１２回りの中心角：βが異ならされている。そこにおいて、厚肉部４４の中心角：αと厚肉部４６の中心角：βの差はレンズ幾何中心軸１２回りで５〜５０度、より好ましくは１０〜４０度とされていることが好ましい。蓋し、中心角：α、βの差が５度より小さいと、両厚肉部４４、４６の重量バランスおよび両厚肉部４４，４６に及ぼされる眼瞼の作用力が両厚肉部４４、４６間で略釣り合い状態となって、後述する直交経線３４が傾斜した状態で安定しにくくなる一方、中心角：α、βの差が５０度より大きいと、厚肉部４４，４６の周方向長さの大きい方によるバラスト効果が支配的となって一定の周方向位置で安定してしまい、後述する第一の安定状態と第二の安定状態の２つの安定状態を得難くなるおそれがあるからである。なお、厚肉部４４，４６の周方向長さ寸法は、要求されるレンズ傾斜角度等を考慮して、適宜に設定される。【００５０】
これにより、本実施形態におけるコンタクトレンズ１０は、光学部１４と周辺部１６を含む全体として対称経線２２に関して線対称形状とされる一方、近用光学部２４がレンズ幾何中心軸１２から偏心位置せしめられると共に、両スラブオフ領域４０，４２が傾斜形状とされていることによって、直交経線３４に関して非線対称形状とされている。【００５１】
また、周辺部１６における周方向の適当な位置には、視標マーク４８が視認可能に設けられている。指標マーク４８は、コンタクトレンズ１０の周方向を視認するためのものであり、好ましくは、対称経線２２乃至は直交経線３４上のレンズ外周縁部に形成される。特に本実施形態においては、指標マーク４８は、長軸が対称経線２２上に延びる楕円形状とされており、レンズ幾何中心軸１２を挟んで近用光学部２４と反対側のレンズ外周縁部に形成されている。なお、指標マーク４８は従来公知の手法で形成することが可能であり、着色や刻印が好適に採用される。また、指標マーク４８の外観は何等限定されるものではなく、各種の図形や文字等が適宜に採用可能である。【００５２】
図３に、本実施形態におけるコンタクトレンズ１０の左右眼への装用状態を示す。なお、図３および後述する図４、図５は本実施形態におけるコンタクトレンズ１０を左右両眼にそれぞれ装用した正面視をモデル的に示すものであり、右眼に装用されたレンズ（図中、左側）をコンタクトレンズ１０ａ，左眼に装用されたレンズ（図中、右側）をコンタクトレンズ１０ｂとする。【００５３】
本実施形態におけるコンタクトレンズ１０は、両スラブオフ領域４０，４２が直交経線３４に関して非対称形状とされていること、および厚肉部４４、４６の周方向長さが異ならされていることから、眼瞼との相互作用および重量バランスが直交経線３４を挟んだ左右両側で不均一とされる。その結果、眼球への装用時には、装用眼の上下方向線５０に対して直交経線３４がレンズ幾何中心軸１２を中心として所定角度だけ傾斜せしめられた周方向位置で安定位置せしめられるようになっている。これにより、コンタクトレンズ１０ａを、指標マーク４８を耳側に位置せしめて右眼に装用した場合には、眼の上下方向線５０に対して直交経線３４がレンズ幾何中心軸１２を中心とした時計回りに第一の傾斜角度：γ1 だけ傾斜した周方向位置で安定位置せしめられるようになっており、かかる位置が第一の安定状態とされる。一方、コンタクトレンズ１０ｂを、右眼への装用方向と上下を反転せしめて、指標マーク４８を耳側に位置せしめて左眼に装用した場合には、上下方向線５０に対して直交経線３４がレンズ幾何中心軸１２を中心とした反時計回りに第二の傾斜角度：δ1 だけ傾斜した周方向位置で安定位置せしめられるようになっており、かかる位置が第二の安定状態とされている。このように、本実施形態においては、両スラブオフ領域４０，４２および厚肉部４４，４６を含んで周方向位置決め手段が構成されている。そこにおいて、第一の傾斜角度：γ1 と第二の傾斜角度：δ1 は、互いに異ならされても良いし、等しくされても良い。【００５４】
そして、本実施形態におけるコンタクトレンズ１０によれば、近用光学部２４の面積中心が光学部幾何中心２０から偏心位置せしめられていることから、右眼に第一の安定状態で装用されたコンタクトレンズ１０ａ，左眼に第二の安定状態で装用されたコンタクトレンズ１０ｂの何れにおいても、近用光学部２４が瞳孔５２と重なる鼻側に位置せしめられるようになっている。これにより、近方視時には瞳孔中心が鼻側に偏倚せしめられることと巧く対応して、近用光学部２４を瞳孔５２の中心：Ｐにかからせることが出来る。その結果、遠用視力と近用視力のバランスの取れたバイフォーカル効果を得ることが出来る。更に、瞳孔中心は、近方視時には鼻側で且つやや下方に偏倚することが知られており、特に本実施形態によれば、レンズが傾斜せしめられることによって、近用光学部２４を鼻側で且つやや下方に偏倚せしめた状態で安定位置せしめることが可能とされており、瞳孔５２に対してより好適に対応した位置で近用光学部２４を安定位置せしめることが可能とされているのである。【００５５】
また、右眼に第一の安定状態および左眼に第二の安定状態で装用した場合においては、左右眼の何れにおいても、周方向寸法が大きく、眼瞼の押出作用が及ぼされ易い厚肉部４４が耳側に位置せしめられている。これにより、眼瞼の押出作用によってコンタクトレンズ１０ａ，１０ｂに耳側へ向かう作用力が及ぼされると共に、強膜は角膜を挟んだ耳側の方が広いことから、かかる作用力によるコンタクトレンズ１０の耳側への偏倚が許容され易く、左右眼に装用された両コンタクトレンズ１０ａ，１０ｂは、それぞれ、耳側へ僅かに偏倚せしめられる。その結果、近用光学部２４を瞳孔５２に対して更に好適な位置で近用光学部２４を安定位置せしめることが出来る。【００５６】
なお、第一の安定状態および第二の安定状態を安定して発現せしめるためには、コンタクトレンズ１０を予め近用光学部２４を鼻側に位置せしめた周方向位置で眼球に装用することが好ましい。そのためには、装用者において近用光学部２４の位置を把握する必要があるが、本実施形態によれば、対称経線２２方向で近用光学部２４と反対側に指標マーク４８が形成されていることから、例えば右眼に第一の安定状態で装用されたレンズ上下方向の向きを正位置とすれば、正面視において指標マーク４８が左側に位置せしめられたレンズ上下方向の向きが正位置であり、指標マーク４８が右側に位置せしめられたレンズ上下方向の向きが、正位置と上下反転された反転位置であることが識別可能とされている。従って、指標マーク４８を耳側に位置せしめた周方向位置（本実施形態においては、右眼に正位置、左眼に反転位置）で眼球に装用すれば、左右眼の何れにおいても近用光学部２４を鼻側に位置せしめることが出来て、第一および第二の安定状態を安定して発現せしめることが出来る。【００５７】
このような構造とされたコンタクトレンズ１０においては、光学部１４と周辺部１６を含む全体として対称経線２２に関して対称形状とされていると共に、直交経線３４に関して非対称形状とされた特定形状を有するスラブオフ領域４０，４２および厚肉部４４，４６を採用したことによって、所定の傾斜角度：γ1 、δ1 だけ傾斜せしめられた第一の安定状態と第二の安定状態を設定することが可能とされている。これにより、左右何れの眼に装用した場合でも、近用光学部２４を装用者の鼻側で且つ下側に位置せしめることが可能とされている。その結果、本実施形態におけるコンタクトレンズ１０によれば、左眼用と右眼用を区別してレンズを用意することが不要とされており、製造や管理に要するコストを軽減することが出来る。【００５８】
特に、一つのレンズを左右両眼に用いることが出来ることから、第一の安定状態で右眼に対する矯正効果が発揮されると共に、第二の安定状態で左眼に対する矯正効果が発揮される同一規格のレンズの一対を処方することが出来る。このようにすれば、左右が同じ規格の装用者は左右の区別を意識することなくレンズを取り扱うことが出来て、取扱い性も向上せしめられる。【００５９】
なお、本実施形態におけるコンタクトレンズ１０は、同一の装用眼に対して、上下を反転させて装用することによって、２つの装用状態を設定することが出来る。即ち、図３に示した、近用光学部２４が鼻側に位置せしめられた第一および第二の安定状態を正装用とすると、図４に示すように、それぞれのコンタクトレンズ１０ａ，１０ｂを同一の装用眼に対して正装用と上下を反転させて装用した逆装用状態を設定することが出来る。【００６０】
そこにおいて、本実施形態におけるコンタクトレンズ１０は、スラブオフ領域４０，４２が傾斜せしめられていることから、右眼に逆装用した場合には、上下方向線５０に対して、径方向線３４が第一の傾斜角度：γ1 とは反対の傾斜方向となる反時計回りに所定の傾斜角度：γ2 だけ傾斜した周方向位置で安定位置せしめられる。一方、左眼に逆装用した場合には、上下方向線５０に対して、径方向線３４が第二の傾斜角度：δ1 とは反対の傾斜方向となる時計回りに所定の傾斜角度：δ2 だけ傾斜した周方向位置で安定位置せしめられる。なお、第一の傾斜角度：γ1 と所定の傾斜角度：γ2 、および第二の傾斜角度：δ1 と所定の傾斜角度：δ2 は、互いに異ならされても良いし、等しくされても良い。【００６１】
そして、本実施形態におけるコンタクトレンズ１０は、近用光学部２４が光学部幾何中心軸２０から偏心位置せしめられていることから、右眼に逆装用されたコンタクトレンズ１０ａ，左眼に逆装用されたコンタクトレンズ１０ｂの何れにおいても、近用光学部２４が耳側に位置せしめられるようになっている。これにより、近用光学部２４が瞳孔５２の中心：Ｐから外れ、遠用光学部２６による略単焦点レンズと同様の効果と若干の近用の矯正効果を得ることが出来る。更に、フレアの発生も大幅に軽減することが可能となり、例えば夜間のドライブ時などに好適に採用することが出来る。【００６２】
また、本実施形態におけるコンタクトレンズ１０は、必ずしも左右一対で提供される必要は無いが、左右一対で提供されて、左右両眼のそれぞれにおいて、正装用と逆装用を組み合わせて用いることによって、使用状況に応じた適切な矯正効果を得ることが出来る。即ち、図３に示したように、左右両眼に正装用すれば、良好なバイフォーカル効果が得られる一方、図４に示したように、左右両眼に逆装用すれば、略単焦点レンズと同様の遠用矯正効果を得ることが出来る。更に、図５に例示するように、右眼に対して正装用、左眼に対して逆装用することなども可能である。このようにすれば、右眼は近用光学部２４が瞳孔５２の中心：Ｐにかかり、遠用視力と近用視力が得られる一方、左眼は近用光学部２４が瞳孔５２の中心：Ｐから外れることによって単焦点レンズと略同様の遠用矯正効果を得ることが出来る。これにより、モディファイトモノビジョン処方に好適に用いることが出来る。【００６３】
次に、図６に、本発明の第二の実施形態としての傾斜装用型コンタクトレンズに係るコンタクトレンズ６０を示す。なお、以下の説明において、前述の第一の実施形態と同様の構造とされた部材および部位については、図中に第一の実施形態と同一の符号を付することにより、その詳細な説明を省略する。【００６４】
コンタクトレンズ６０は、前述の第一の実施形態と同様の同時視型のコンタクトレンズとされており、その光学部１４には、近用光学部２４、遠用光学部２６、および移行部２８が形成されていると共に、近用部面積中心３０および遠用部面積中心３２が径方向線２２上で光学部幾何中心軸２０から偏心位置せしめられている。特に本実施形態においては、近用光学部２４が第一の実施形態に比してやや大きく形成されており、光学部幾何中心軸２０に至る大きさを有している。【００６５】
そして、直交経線３４方向で光学部１４を挟んだ両側には、対称経線２２方向で光学部１４を挟んだ両側に比して薄肉とされた薄肉部としてのスラブオフ領域６２，６４が形成されている。特に本実施形態においては、両スラブオフ領域６２、６４は、径方向線２２に関して対称形状とされていると共に、直交経線３４に関しても線対称形状とされている。【００６６】
さらに、周辺部１６において対称経線２２方向で光学部１４を挟んだ一方の側（本実施形態においては、図６中、左側）における両スラブオフ領域６２，６４の間には、周辺部１６の径方向略中間部分からレンズ外周縁部にかけて、レンズの厚さ寸法が小さくされた軽量部６６が形成されている。これにより、周辺部１６において対称経線２２方向で光学部１４を挟んだ軽量部６６と反対側（図６中、右側）の部位には、軽量部６６よりもレンズの厚さ寸法が大きくされた重量部６８が形成されている。ここにおいて、軽量部６６と重量部６８の平均厚さ寸法の差は、レンズ半径方向で０．０１〜０．１５ｍｍ、より好ましくは、０．０５〜０．１０ｍｍの範囲内で設定されることが好ましい。蓋し、平均厚さ寸法の差が０．０１ｍｍよりも小さいと、軽量部６６と重量部６８の重量の差が小さく、両部６６，６８が釣り合い状態となって直交経線３４を傾斜せしめた周方向位置で安定せしめることが困難となる一方、平均厚さ寸法の差が０．１５ｍｍよりも大きいと、重量部６８の重量が軽量部６６に比して大きくなり過ぎて、単一の周方向位置で安定し易く、第一の安定状態と第二の安定状態の２つの周方向安定状態を選択的に設定することが困難となるおそれがあるからである。【００６７】
また、周辺部１６において、軽量部６６が形成された領域には、指標マーク７０が形成されている。指標マーク７０は、対称経線２２方向で、光学部１４の外周縁部とレンズ外周縁部の略中間部分を直交経線３４と平行に延びる境界線とレンズ外周縁部によって囲まれる領域が着色により塗り潰されて形成されている。なお、図中においては、指標マーク７０と重なる軽量部６６の形状を示すために、指標マーク７０の形成領域を斜線で示す。【００６８】
本実施形態におけるコンタクトレンズ６０は、両スラブオフ領域６２，６４および重量部６８を含んで周方向位置決め手段が構成されている。これにより、例えば図７に示すように、右眼に装用した状態で、上下方向線５０に対して時計回りに第一の傾斜角度：ε1 だけ傾斜せしめられた第一の安定状態で安定位置せしめられる一方、左眼に装用した状態で、上下方向線５０に対して反時計回りに第二の傾斜角度：θ1 だけ傾斜せしめられた第二の安定状態で安定位置せしめられる。その結果、左右眼いずれに装用した場合でも、近用光学部２４を鼻側且つ下方に位置せしめることが出来て、良好なバイフォーカル効果を得ることが出来る。なお、第一の傾斜角度：ε1 と第二の傾斜角度：θ1 は、互いに異ならされても良いし、等しくされても良い。【００６９】
そして、本実施形態におけるコンタクトレンズ６０においても、第一および第二の安定状態で装用された正装用に対して、上下を反転させた逆装用で装用することも可能である。例えば、図８に示すように、右眼に逆装用した場合には、上下方向線５０に対して、径方向線３４が第一の傾斜角度：ε1 とは反対の傾斜方向となる半時計回りに所定の傾斜角度：ε2 だけ傾斜した周方向位置で安定位置せしめられる。一方、左眼に逆装用した場合には、上下方向線５０に対して、径方向線３４が第二の傾斜角度：θ1 とは反対の傾斜方向となる時計回りに所定の傾斜角度：θ2 だけ傾斜した周方向位置で安定位置せしめられる。これにより、左右眼に装用されたコンタクトレンズ６０ａ，６０ｂの何れにおいても、近用光学部２４が瞳孔５２の中心：Ｐから外れることによって、遠用光学部２６による略単焦点レンズと同様の効果を得ることが出来る。なお、第一の傾斜角度：ε1 と所定の傾斜角度：ε2 、および第二の傾斜角度：θ1 と所定の傾斜角度：θ2 は、互いに異ならされても良いし、等しくされても良い。更に、図示は省略するが、第一の実施形態と同様に、左右眼のそれぞれにおいて、正装用と逆装用を組み合わせて装用することも可能であって、例えば右眼に正装用、左眼に逆装用することによって、モディファイトモノビジョン処方に好適に用いることなども出来る。【００７０】
このように、本実施形態においても、左眼用と右眼用を区別してレンズを用意することが不要とされており、製造や管理に要するコストを軽減することが出来る。そして、本実施形態から明らかなように、レンズ周方向の安定位置を与える周方向位置決め手段の具体的構造は特に限定されるものではない。【００７１】
次に、図９に、本発明の第三の実施形態としての傾斜装用型コンタクトレンズに係るコンタクトレンズ８０を示す。コンタクトレンズ８０は、前述の第一の実施形態におけるコンタクトレンズ１０の近用光学部２４と遠用光学部２６が、その正面視における外形を等しくして入れ替えたものであり、本実施形態においては、正面視において小円形状とされた遠用光学部８２の周りに近用光学部８４が形成されており、これら遠用光学部８２と近用光学部８４の間に移行部８６が形成されている。本実施形態から明らかなように、第一の度数領域（本実施形態における遠用光学部８２）と第二の度数領域（本実施形態における近用光学部８４）の面積比は何等限定されるものではなく、第一および第二の度数領域の何れが大きくても良いし、小さくても良い。或いは、第一および第二の度数領域の面積が互いに等しくされても良い。【００７２】
さらに、図１０に、本発明の第四の実施形態としての傾斜装用型コンタクトレンズに係るコンタクトレンズ９０を示す。本実施形態においては、光学部幾何中心軸２０が、対称経線２２上でレンズ幾何中心軸１２から偏心位置せしめられている。このように、光学部１４は、装用上で問題とならない程度にレンズ幾何中心軸１２から偏心位置せしめられても良い。【００７３】
以上、本発明の幾つかの実施形態について詳述してきたが、これらはあくまでも例示であって、本発明は、かかる実施形態における具体的な記載によって、何等、限定的に解釈されるものではない。【００７４】
例えば、本発明は、２焦点を有するバイフォーカル、２焦点よりも多焦点を有するマルチフォーカルや累進多焦点レンズの何れに適用することも可能である。また、第一の度数領域と第二の度数領域の境界は明確である必要はなく、例えば累進多焦点レンズの場合には、レンズ度数の最大値と最小値の中間値に関して、該中間値より小さい度数領域が第一の度数領域、大きい度数領域が第二の度数領域とされる。従って、本発明は、必ずしも老視矯正に用いられる遠近両用のレンズにのみ適用されるものではなく、例えば第一の度数領域と第二の度数領域の度数差が０．２５Ｄ程度と小さく、正装用で屋内用として用い、逆装用で屋外用として用いるレンズとすること等も可能である。【００７５】
また、第一の度数領域又は第二の度数領域の面積中心の偏心位置は、必ずしも厳密に径方向線上に限定されるものではなく、径方向線からの多少のずれは許容され得る。【００７６】
更にまた、本発明は、必ずしもソフトコンタクトレンズにのみ適用され得るものではなく、ハードコンタクトレンズに適用することも、勿論可能である。【００７７】
なお、本発明に従う構造とされた傾斜装用型コンタクトレンズの安定位置および矯正効果を確認するために行なった試験結果を、以下に示す。【００７８】
先ず、実施例としての前述の第一の実施形態と略同様の構造とされた傾斜装用型コンタクトレンズと、比較例としての従来構造に従うコンタクトレンズを被検者Ａに用意した。これらは何れも、外径寸法（ＤＩＡ）＝１４．２ｍｍ、ベースカーブ（Ｂ．Ｃ．）＝８．６０ｍｍ、後面光学部直径＝８ｍｍ、近用光学部直径＝１ｍｍ、レンズ度数移行部幅＝０．５ｍｍ、中心厚さ＝０．１０ｍｍ、周辺部における厚肉部の平均厚さ＝０．４０ｍｍ、周辺部における薄肉部の平均厚さ＝０．１３ｍｍの含水率７２％のソフトコンタクトレンズを用いた。【００７９】
【表１】
2009093286.tif 000003
【００８０】
そして、実施例および比較例として、上述の如きソフトコンタクトレンズに対して、被検者Ａの左右両眼に遠視矯正力を与える表１に示す遠用度数を付与すると共に、何れのレンズにも一律の＋１．５Ｄの付加度数を付与した。なお、表１における調節力とは、調節を休止している状態での網膜共役点である調節遠点と、調節を最大限働かせたときの網膜共役点である調節近点までの調節域をレンズの屈折力で表したものである。【００８１】
さらに、実施例としての傾斜装用型コンタクトレンズは、一方の厚肉部の中心角（前記第一の実施形態としてのコンタクトレンズ１０における厚肉部４４の中心角：α）＝５０°、他方の厚肉部の中心角（前記第一の実施形態としてのコンタクトレンズ１０における厚肉部４６の中心角：β）＝１０°、右眼用のレンズにおける近用光学部幾何中心とレンズ幾何中心の偏心距離＝１．０ｍｍ、左眼用のレンズにおける近用光学部幾何中心とレンズ幾何中心の偏心距離＝０．８ｍｍとした。また、周辺部には、指標マークとして、長さ１．５ｍｍ、幅０．３ｍｍの長方形を青色の着色によって形成した。なお、近用光学部幾何中心のレンズ幾何中心からの偏心距離は、近用光学部の幾何中心が瞳孔中心に位置せしめられる最適値として、正装用における近用光学部幾何中心のレンズ幾何中心からの偏心距離とした。【００８２】
一方、比較例としての従来構造に従うコンタクトレンズは、両方の厚肉部の中心角（前記第一の実施形態としてのコンタクトレンズ１０における厚肉部４４および厚肉部４６の中心角：α、β）を何れも３０°、右眼用のレンズにおける近用光学部幾何中心とレンズ幾何中心の偏心距離＝０．４ｍｍ、左眼用のレンズにおける近用光学部幾何中心とレンズ幾何中心の偏心距離＝０．５ｍｍとした。また、周辺部には、指標マークとして、短径１．６ｍｍ、長径２．０ｍｍの楕円形状を青色の着色によって形成した。なお、近用光学部幾何中心のレンズ幾何中心からの偏心距離は、近用光学部の幾何中心が瞳孔中心に位置せしめられる最適値として、指標マークが正面視において耳側に位置せしめられた周方向位置（以下、装用１とする）と、装用１を上下反転させて、指標マークが正面視において鼻側に位置せしめられた周方向位置における近用光学部幾何中心のレンズ幾何中心からの偏心距離とした。【００８３】
図１１（ａ），（ｂ）に、実施例としてのコンタクトレンズを正装用した状態の正面視と、比較例としてのコンタクトレンズを装用１で装用した状態の正面視を示すと共に、図１２（ａ），（ｂ）に、実施例としてのコンタクトレンズを逆装用した状態の正面視と、比較例としてのコンタクトレンズを装用１と上下を反転して装用した状態の正面視を示す。なお、図１１および図１２における実施例としてのコンタクトレンズは右眼および左眼に装用されたものをそれぞれコンタクトレンズ１０ａ、１０ｂとして図示すると共に、比較例としてのコンタクトレンズは右眼および左眼に装用されたものをそれぞれコンタクトレンズ１００ａ、１００ｂとして図示する。更に、図１１および図１２に示すコンタクトレンズ１０ａ，１０ｂ、１００ａ，１００ｂにおいて前述の第一の実施形態と対応する部位には、第一の実施形態と同一の符号を付する。【００８４】
【表２】
2009093286.tif 000004
【００８５】
【表３】
2009093286.tif 000005
【００８６】
【表４】
2009093286.tif 000006
【００８７】
【表５】
2009093286.tif 000007
【００８８】
これら実施例としてのコンタクトレンズ１０ａ，１０ｂを正装用および逆装用した場合におけるレンズ幾何中心軸１２の瞳孔中心：Ｐからの距離を表２に示し、比較例としてのコンタクトレンズ１００ａ，１００ｂを装用１および装用１と上下反転装用した場合におけるレンズ幾何中心軸１２の瞳孔中心：Ｐからの距離を表３に示す。また、実施例としてのコンタクトレンズ１０ａ，１０ｂを正装用および逆装用した場合における近用部面積中心３０の瞳孔中心：Ｐからの距離を表４に示し、比較例としてのコンタクトレンズ１００ａ，１００ｂを装用１および装用１と上下反転装用した場合における近用部面積中心３０の瞳孔中心：Ｐからの距離を表５に示す。なお、本実施例および比較例における近用光学部２４は正面視において円形状とされていることから、近用部面積中心３０は近用光学部２４の幾何中心となる。また、表２乃至表５における水平方向は耳側を−，鼻側を＋とすると共に、垂直方向は上方を＋、下方を−とした。【００８９】
これら図１１、図１２および表２乃至表５から明らかなように、実施例を正装用した場合には、瞳孔中心：Ｐに対する近用光学部２４の偏倚量を比較例を装用１で装用した場合に比してより大きく得ることが出来る。これにより、近用光学部２４を瞳孔５２と重なる位置で且つ比較例に比してより鼻下側に位置せしめることが出来て、近用光学部２４と遠用光学部２６によるバイフォーカル効果がより有利に発揮され得ることが確認された。【００９０】
さらに、比較例は装用１の場合と装用１を反転装用した場合において、レンズ幾何中心１２および近用部面積中心３０の瞳孔中心：Ｐからの偏倚量に殆ど差異が無いのに比して、実施例によれば、正装用の場合と逆装用の場合において、レンズ幾何中心１２および近用部面積中心３０の瞳孔中心：Ｐからの偏倚量がより大きく変化せしめられている。これにより、実施例を逆装用した場合には、比較例に比して近用光学部２４を瞳孔中心：Ｐからより離れた位置に位置せしめることが出来て、遠用光学部２６による略単焦点レンズと同様の効果がより有利に発揮され得ることが確認された。【００９１】
【表６】
2009093286.tif 000008
【００９２】
さらに、実施例の正装用と逆装用、および比較例の装用１と装用１を反転装用した場合におけるレンズの傾きを測定した結果を、表６に示す。なお、レンズの傾きは、指標マーク４８が水平になる状態を０°とし、右眼については反時計回りを＋、左眼については時計回りを＋とした。【００９３】
表６から明らかなように、比較例については装用１の場合に左眼が＋方向、即ち、近用光学部２４が瞳孔５２の鼻下側から離隔する方向に偏倚せしめられるのに比して、実施例によれば、正装用の場合には、左右何れもマイナス方向、即ち、近用光学部２４が瞳孔５２の鼻下側に位置する方向に偏倚せしめられている。また、実施例を正装用した場合には、比較例に比してレンズ傾きも大きい。これにより、実施例によれば、正装用することによってより好適に近用光学部２４を瞳孔５２の鼻下側に位置せしめられることが確認された。【００９４】
【表７】
2009093286.tif 000009
【００９５】
また、実施例および比較例を両眼に正装用乃至は装用１で装用した場合と、両眼に逆装用乃至は装用１と反転装用した場合のそれぞれにおける遠用の見え方と近用の見え方を被検者の自覚により評価した結果を、表７に示す。なお、見え方は、０〜１０の１１段階で評価し、１０を最良とした。【００９６】
表７から明らかなように、実施例を正装用した場合には、比較例を装用１で装用した場合に比して遠用矯正効果と近用矯正効果の何れもがより有効に発揮されて、遠用と近用のバランスの取れた矯正が行なわれる一方、実施例を逆装用した場合には、比較例を装用１と反転装用した場合に比して遠用矯正効果がより増加せしめられると共に近用矯正効果がより低減されて、単焦点レンズと略同様の遠用矯正効果が得られることが確認された。【００９７】
【表８】
2009093286.tif 000010
【００９８】
さらに、実施例および比較例を両眼に正装用乃至は装用１で装用した場合と、両眼に逆装用乃至は装用１と反転装用した場合のそれぞれにおいて、レンズ装用時に得られる加入度数を測定した結果を、表８に示す。表８から明らかなように、実施例を正装用した場合には、比較例を装用１で装用した場合に比して、より大きな加入度数、即ち、より有効な近用矯正効果が得られる一方、実施例を逆装用した場合には、比較例を装用１と反転装用した場合に比して近用矯正効果がより抑えられて、略単焦点レンズと同様の遠用矯正効果が得られることが確認された。
【図１】
2009093286.tif 000011
【図２】
2009093286.tif 000012
【図３】
2009093286.tif 000013
【図４】
2009093286.tif 000014
【図５】
2009093286.tif 000015
【図６】
2009093286.tif 000016
【図７】
2009093286.tif 000017
【図８】
2009093286.tif 000018
【図９】
2009093286.tif 000019
【図１０】
2009093286.tif 000020
【図１１】
2009093286.tif 000021
【図１２】
2009093286.tif 000022
【国際調査報告】
2009093286.tif 000023
2009093286.tif 000024
2009093286.tif 000025
2009093286.tif 000026